(57)【要約】【課題】複数の構成品がそれらの動作を制御する制御器に接続されているか否かを容易に確認することができるようにした試験システムを提供する。【解決手段】構成品（測定器４-ｎ、切替器５、被試験器用コントローラ６、モニタ７、プリンタ８）のそれぞれが制御器（３）に接続されているか否かを判断し、構成品のそれぞれを表す構成品画像（２１）を、試験システム（１）における構成品の実際の配置位置に対応させ、判断結果別に異なる特徴（色彩）を付与して表示する。【選択図】図５
2010054435.tif 000002
【特許請求の範囲】
【請求項１】
被試験器の出力信号を測定する測定器を含む複数の構成品と、前記構成品の動作を制御する制御器とを備える試験システムであって、
表示部と、
前記構成品のそれぞれが前記制御器に接続されているか否か判断する接続判断手段と、
前記構成品のそれぞれを表す画像を、前記試験システムにおける前記構成品の実際の配置位置に対応させ、前記接続判断手段の判断結果別に異なる特徴を付与して表示する表示手段と、
を備えることを特徴とする試験システム。
【請求項２】
前記表示手段は、前記構成品のそれぞれを表す画像を、前記接続判断手段の判断結果別に異なる色彩で表示することを特徴とする請求項１に記載の試験システム。
【発明の詳細な説明】
【技術分野】
【０００１】
本発明は、試験システムに関し、特に、複数の構成品を画像として表示可能な試験システムに関する。
【背景技術】
【０００２】
試験手順に従って測定器等の構成品の動作を制御器で制御し、試験対象である被試験器の出力信号を測定する試験システムが知られている（例えば特許文献１参照）。
【特許文献１】特開２００７−２９２７２３号公報
【発明の開示】
【発明が解決しようとする課題】
【０００３】
試験対象や試験項目を増加させると、試験システムの構成品の数も増加する。任意の試験項目を実行しようとする場合、当然ながら、その試験項目に必要な構成品が当該構成品の動作を制御する制御器に接続されている必要がある。従って、構成品の接続不良などによって正常な被試験器を異常と誤判定してしまうのを防止するためにも、試験前に各構成品の接続状態を確認することが望ましい。しかしながら、前述のように構成品の数が増加すると、その確認作業も煩雑になるという不具合があった。
【０００４】
従って本発明の目的は上記した課題を解決し、複数の構成品がそれらの動作を制御する制御器に接続されているか否かを容易に確認することができるようにした試験システムを提供することにある。
【課題を解決するための手段】
【０００５】
上記した課題を解決するため、本発明に係る試験システムにあっては、被試験器の出力信号を測定する測定器を含む複数の構成品と、前記構成品の動作を制御する制御器とを備える試験システムであって、表示部と、前記構成品のそれぞれが前記制御器に接続されているか否か判断する接続判断手段と、前記構成品のそれぞれを表す画像を、前記試験システムにおける前記構成品の実際の配置位置に対応させ、前記接続判断手段の判断結果別に異なる特徴を付与して表示する表示手段と、を備えるように構成した。
【０００６】
また、前記表示手段は、前記構成品のそれぞれを表す画像を、前記接続判断手段の判断結果別に異なる色彩で表示するように構成した。
【発明の効果】
【０００７】
本発明に係る試験システムにあっては、表示部と、構成品のそれぞれが制御器に接続されているか否か判断する接続判断手段と、構成品のそれぞれを表す画像を、試験システムにおける構成品の実際の配置位置に対応させ、接続判断手段の判断結果別に異なる特徴を付与して表示する表示手段とを備えるように構成したので、構成品のそれぞれが制御器に接続されているか否かを容易に確認することができる。
【０００８】
また、本発明に係る試験システムにあっては、構成品のそれぞれを表す画像を、接続判断手段の判断結果別に異なる色彩で表示するように構成したので、構成品のそれぞれが制御器に接続されているか否かを視覚的により一層容易に確認することができる。
【発明を実施するための最良の形態】
【０００９】
以下、本発明に係る試験システムを実施するための最良の形態について、図面を参照して説明する。
【００１０】
図１は、本発明に係る試験システムの構成を示すブロック図である。図１において、符号１は試験システムを表す。試験システム１は、無線機等の被試験器（試験対象である電子機器）２について予め決められた試験手順で自動的に試験を行い、試験で得た測定値に基づいて被試験器２の動作が正常であるか否かを判定する。
【００１１】
試験システム１は、システム全体の制御や測定値の良否判定等を行う制御器（コンピュータ）３と、被試験器２から出力される出力信号を測定する測定器４-ｎ（ｎは自然数）と、被試験器２と測定器４-ｎ間の測定経路の切替えを行う切替器５と、制御器３からの指示に従って被試験器２に対して測定条件等を設定する被試験用コントローラ（コンピュータ）６と、モニタ（表示部）７と、プリンタ８などを備えている。測定器４-ｎは、例えば基準信号を発生する基準信号発生器や信号の位相を検波する位相検波器など、被測定器の種別に関わらず広く使用される汎用測定器や、特定の被試験器に対してのみ使用する専用測定器からなり、その数は例えば数十個である。本実施例では、測定器４-ｎや切替器５、モニタ７、プリンタ８などの試験システム１を構成する機器を「構成品」と総称する。各構成品は、ＬＡＮケーブルなどを介して制御器３に接続される。
【００１２】
制御器３は、ＣＰＵ（Central Processing Unit）９と、記憶部１０などを有する。記憶部１０には被試験器２の試験手順が記述された試験プログラムなどが記憶される。試験プログラムには、構成品の接続確認やそれに応じた表示動作の処理手順が記述された接続確認プログラムなどが含まれる。記憶部１０に記憶された各プログラムはＣＰＵ９に読み込まれて実行される。モニタ７にはＣＰＵ９で実行されるプログラム処理に応じ、試験項目や測定結果、構成品の接続状況などの情報が表示される。また、プリンタ８は、制御器９からの指示に応じ、試験結果などの情報をプリントアウトする。
【００１３】
続いて、試験システム１で実行される被試験器２の試験動作について説明する。制御器３にて試験プログラムが実行されると、モニタ７に被試験器２や試験項目に関係する情報が表示される。試験システム１の操作者は、図示しないマウス等の入力装置を用い、実行する試験項目の選択や試験実行の指示を行う。制御器３は、操作者から入力された各種指示に従って試験プログラムを実行し、測定器４-ｎ、切替器５、被試験用コントローラ６に対して制御信号を出力する。
【００１４】
試験動作について具体的に説明すると、制御器３は、被試験用コントローラ６に対して被試験器２の測定条件等の設定指示を出力する。被試験用コントローラ６は、制御器３からの指示に従って被試験器２に対して設定信号を出力し、被試験器２を上記測定条件に対応した状態に設定する。また、制御器３は、試験手順に従って切替部５の動作を制御し、被試験器２に接続される測定器４-ｎの切替（経路切替）を行うと共に、測定器４-ｎの動作の制御（設定等）を行う。測定器４-ｎは、制御器３からの指示に従って被試験器２に対して試験信号を出力すると共に、被試験器２から出力された試験信号を測定する。測定器４-ｎで得られた測定値は制御器３に送られる。制御器３は、その測定値を閾値と比較することによって測定値の良否判定、即ち、被試験器２の動作が正常であるか否かの判定を行うと共に、測定値と判定結果をモニタ７に表示する。以上の動作は試験プログラムに従って全て自動的に行われる。
【００１５】
次いで、制御器３による各構成品の接続確認とその結果の表示処理について説明する。本処理は、上述した接続確認プログラムによって実現される。図２は、モニタ７に表示される画面（符号１１で示す）を示す図である。図２に示す構成品ボタン１２及び試験ボタン１３は、試験プログラム実行時の初期画面にも表示され、構成品ボタン１２をクリックすることによって図２に示す画面に移行する。以下、図２に示す画面１１を「接続確認画面」と呼ぶ。尚、試験ボタン１３をクリックすると、上記した試験動作を実行するための画面に移行する。
【００１６】
図２に示すように、接続確認画面１１には、上記した構成品ボタン１２や試験ボタン１３に加え、試験システム１の概観図１４、エラー内容表示領域１５、接続確認ボタン１６などが表示される。
【００１７】
試験システム１の概観図１４は、格納架を示す格納架図像２０と、格納架に格納される構成品を示す構成品画像２１と、格納架に格納される制御器３を示す制御器画像２２とから構成される。実際の試験システム１も、図２に示す格納架画像２０と同様な格納架を備え、当該格納架の所定位置（予め定められた所定位置）に各構成品や制御器３が格納されている。概観図１４では、各構成品画像２１と制御器画像２２とを、各構成品や制御器３の実際の配置位置に対応させて表示している。
【００１８】
尚、図では各構成品画像２１にその名称として構成品Ｎ（Ｎは自然数）と記しているが、実際は各構成品固有の名称が記される。また、構成品画像２１や制御器画像２２は、各構成品や制御器３の実形状を模擬したものであっても良いし、単にそれらが配置される領域を表したものでも良い。
【００１９】
試験システム１の操作者が接続確認ボタン１６をクリックすると、制御器３のＣＰＵ９において、各構成品の接続確認とその結果の表示処理が実行される。尚、この処理は通常、試験開始に先立って操作者より実行指示がなされる。
【００２０】
図３は、各構成品の接続確認とその結果の表示処理を示すフローチャートである。図３フローチャートを説明すると、先ずＳ１において、構成品Ｎは接続確認対象か否か判断する。図４は、各構成品が接続確認対象か対象外であるかを記述した表を示している。図４において、１が付与された構成品が接続確認対象に設定され、０が付与された構成品が接続確認対象外に設定されている。図４に示す表は、参照ファイルとして上記した記憶部１０に記憶されている。ここで、接続確認対象外の構成品とは、モニタ７やプリンタ８などの被試験器２の試験結果に直接的な影響を与えない機器であり、逆に言えば、測定器４-ｎや切替器５といった試験に不可欠な機器は接続確認対象に設定される。
【００２１】
図３フローチャートの説明に戻ると、Ｓ１では図４に示すファイルを参照することによって構成品Ｎが接続確認対象か否か判断する。Ｓ１で構成品Ｎが接続確認対象と判断されると、Ｓ２に進んで当該構成品Ｎとの通信を行い、当該構成品Ｎが制御器３に接続されているか確認する。次いでＳ３で、構成品Ｎと通信した結果、当該構成品Ｎから応答が有ったか否か判断し、応答が有ったときはＳ４に進んで当該構成品Ｎを表す構成品画像２１に対して「接続ＯＫ」を示す特徴を付与する。本実施例では、「接続ＯＫ」の場合には、当該構成品Ｎを示す構成品画像２１を緑色で表示する。
【００２２】
一方、Ｓ３で当該構成品Ｎから応答が無いと判断されたときは、Ｓ５に進んで当該構成品Ｎを表す構成品画像２１に対して「接続ＮＧ」を示す特徴を付与すると共に、エラーメッセージを表示する。本実施例では、「接続ＮＧ」の場合には、当該構成品Ｎを示す構成品画像２１を赤色で表示する。
【００２３】
また、Ｓ１で構成品Ｎが接続確認対象外と判断されたときは、Ｓ６に進み、当該構成品Ｎを表す構成品画像２１に対して「接続確認対象外」を示す特徴を付与する。本実施例では、「接続確認対象外」の場合には、当該構成品Ｎを示す構成品画像２１を青色で表示する。
【００２４】
Ｓ４，Ｓ５，Ｓ６のいずれかの処理を実行した後はＳ７に進み、試験システム１を構成する全ての構成品について接続確認が完了したか否か判断し、全ての構成品について接続確認が完了するまでＳ１以降の処理を繰り返し実行する。
【００２５】
図５は、接続確認の結果を表示した接続確認画面１１を示す図である。図５において、「接続ＯＫ」即ち緑色で表示された構成品画像２１を斜線（左上から右下）で示す。また、「接続ＮＧ」即ち赤色で表示された構成品画像２１を菱格子で示し、「接続確認対象外」即ち青色で表示された構成品画像２１を斜線（左上から右下）で示す。従って図５では、構成品４と構成品１５が接続ＮＧであることを表し、構成品３と構成品１４が接続確認対象外であることを表し、それ以外の構成品は接続ＯＫであることを示している。尚、制御器３自体は接続確認を行う必要がないため、「接続確認対象外」として表示している。
【００２６】
また、エラー内容表示領域１５には、「接続ＮＧ」と判断された構成品４と構成品１５について、それぞれ通信不良（接続不良）であることを示すエラーメッセージが表示される。このエラーメッセージ表示は、図４フローチャートのＳ５の処理によって行われる。尚、ケーブルの接続不良や断線だけでなく、接続確認対象の構成品が故障している場合や電源未投入の場合も、当該構成品からの応答が無くなって「接続ＮＧ」と判断されるため、故障している構成品や電源未投入の構成品も、接続確認画面１１上で「接続ＯＫ」である構成品と区別することができる。
【００２７】
このように、本発明に係る試験システム１にあっては、構成品のそれぞれが制御器３に接続されているか否かを判断し、構成品のそれぞれを表す構成品画像２１を、試験システム１における構成品の実際の配置位置に対応させ、判断結果（「接続ＯＫ」「接続ＮＧ」）別に異なる特徴を付与して表示するように構成したので、構成品のそれぞれが制御器３に接続されているか否かを容易に確認することができる。
【００２８】
特に、構成品画像２１を判断結果別に異なる色彩で表示するように構成したことから、構成品のそれぞれが制御器３に接続されているか否かを視覚的により一層容易に確認することができる。さらに、接続確認対象外の構成品にも接続確認対象の構成品とは異なる特徴（色彩）を付与して表示するようにしたので、操作者に対し、接続確認が未完なのか対象外なのかを明確に認識させることができ、処理未完であるとの誤認による不要な心配を与えることもない。
【００２９】
尚、接続確認の判断結果別に応じた異なる特徴としては、接続ＮＧの場合には当該構成品を示す構成品画像２１を点滅表示させるなど、「接続ＯＫ」と「接続ＮＧ」とを区別可能であればよく、上記した色彩による区別に限定されるものではない。
【図面の簡単な説明】
【００３０】
【図１】本発明に係る試験システムの構成を示すブロック図である。
【図２】図１に示すモニタに表示される接続確認画面を示す図である。
【図３】図１に示す制御器で実行される、各構成品の接続確認とその結果の表示処理を示すフローチャートである。
【図４】図１に示す各構成品が接続確認対象か対象外であるかを記述した表（参照ファイル）である。
【図５】接続確認の結果を表示した、図２と同様な接続確認画面を示す図である。
【符号の説明】
【００３１】
１：試験システム、２：被試験器、３：制御器、４-ｎ：測定器（構成品）、５：切替器（構成品）、６：被試験器用コントローラ（構成品）、７：モニタ（構成品）、８：プリンタ（構成品）
【図１】
2010054435.tif 000003
【図２】
2010054435.tif 000004
【図３】
2010054435.tif 000005
【図４】
2010054435.tif 000006
【図５】
2010054435.tif 000007